(57)【特許請求の範囲】
【請求項１】
着脱可能なハンドルにより操作される駆動軸により開閉される底弁を介して吐出管に接続された複数のハッチを有するタンクを備えたタンクローリにおいて、
前記ハンドルが、特定の１本の駆動軸とのみ係合するように構成され、かつ前記複数のハッチに対応する数だけ用意されてロック手段により固定された状態で前記タンクの防護壁の外側に配置されたケースに収容され、
また前記ロック手段が、荷おろしすべき前記ハッチの油種と貯油タンクの油種との一致を判定する運転室近傍に配置された荷卸制御装置からの信号によりロックを解除して前記貯油タンクの油種に一致する前記ハッチの前記駆動軸にだけ係合する前記ハンドルの取り出しを可能として前記貯油タンクの油種と一致する前記ハッチから荷おろしできるように構成されているタンクローリ。
【請求項２】
前記荷卸制御装置が、ハッチ番号入力手段からのデータにより前記ハッチの油種データを出力する記憶手段と、注油タンクの油種を示す油種識別片からの油種データと前記記憶手段から読み出された油種データを比較する油種一致判定手段と、該油種一致判定手段からの信号により前記ハッチ番号入力手段により指定された前記ハッチの前記底弁を開閉する前記ハンドルを固定しているロック部材にだけ解除信号を出力するロック部材制御手段とから構成されている請求項１に記載のタンクローリ。
【発明の詳細な説明】
【０００１】
【発明の属する技術分野】
本発明は、給油所に設置されている貯油タンクへの燃料油補給時に油種を判定し、異油種の注油を防止する機能を備えたタンクローリに関する。
【０００２】
【従来の技術】
タンクローリから貯油タンクに燃料油を補給する場合には、混油を防止するため、ハッチから補給しようとする油種と貯油タンクの油種との一致を確認する作業が必要となるが、判断を人手に頼っているため、時としてミスが生じる虞がある。
このため、特開平3-249380号公報に記載されているようにローリの吐出管と、注油タンクの注油管とに油種判定手段を設け、一致した場合に信号により底弁の開放を可能ならしめるタンクローリも提案されている。
【０００３】
【発明が解決しようとする課題】
しかしながら、既存のローリに適用しようとすると、油種判定手段は比較的簡単に設置することが可能であるとしても、既存の弁を信号により開閉可能な電磁駆動、またエア駆動できる形式のものに交換するなど、大幅な改良が必要となりコストが掛かるという問題がある。
本発明はこのような問題に鑑みてなされたものであって、その目的とするところは、既存のタンクローリにも僅かな改良で設備することができる混油防止装置を提供することである。
【０００４】
【課題を解決するための手段】
このような問題を解消するために本発明においては、着脱可能なハンドルにより操作される駆動軸により開閉される底弁を介して吐出管に接続された複数のハッチを有するタンクを備えたタンクローリにおいて、前記ハンドルが、特定の１本の駆動軸とのみ係合するように構成され、かつ前記複数のハッチに対応する数だけ用意されてロック手段により固定された状態で前記タンクの防護壁の外側に配置されたケースに収容され、また前記ロック手段が、荷おろしすべき前記ハッチの油種と貯油タンクの油種との一致を判定する運転室近傍に配置された荷卸制御装置からの信号によりロックを解除して前記貯油タンクの油種に一致する前記ハッチの前記駆動軸にだけ係合する前記ハンドルの取り出しを可能として前記貯油タンクの油種と一致する前記ハッチから荷おろしできるように構成されている。
【０００５】
【作用】
油種の一致が確認された場合にのみ、指定したハッチの底弁の駆動軸に係合できるハンドルの取り出しを可能として油種が一致するハッチの底弁の開閉を可能ならしめ、もって信号により開閉する機能を有する底弁への取り替えを必要とすることなく、ハンドルや弁駆動軸の簡単な改良で誤給油を防止することができる。
【０００６】
【発明の実施の形態】
そこで以下に本発明の詳細を図示した実施例に基づいて説明する。
図１は、本発明の一実施例を示すものであって、ローリ１は、タンク２を仕切３、４により複数の貯油ハッチ５、６、７に分割して、底部の底弁８、９、１０を介して吐出管１１に連通させ、注油ホース１２により貯油タンク１３の注油管１４に接続可能に構成されている。
【０００７】
注油ホース１２の注油管１４側のカップリング近傍には油種識別片読取手段１５が、また注油管１４には貯油タンク１３の油種を示す油種識別片１６が読取手段１５に着脱可能に設けられている。油種識別片読取手段１５は油種識別片１６の油種データを有線、または無線により運転室５２の近傍に設けられた荷卸制御装置１８に伝送するように構成されている。
【０００８】
タンク２の頂部の防護壁１９内には各ハッチ５、６、７の注油口２０、２１、２２と、図２に示したように下端が底弁８、９、１０に接続し、また上端にハンドル装着部２３、２４、２５を備えた駆動軸２６、２７、２８が設けられ、また非防爆領域となる防護壁１９の外側には図３に示したように各駆動軸２６〜２８のハンドル装着部２３〜２５と１対１でのみ係合可能なハンドル２９〜３１を、それぞれ独立に固定する電磁駆動可能なロック部材３２、３３、３４を収容したケース３５が設けられている。
【０００９】
これらハンドル２９〜３１とハンドル装着部２３〜２５とは、それぞれ断面形状が異なる雄型と雌型として形成されて１対１でのみ嵌合するカップリングを構成している。
【００１０】
図４は、前述の荷卸制御装置１８の一実施例を示すものであって、油種選択手段４１は、制御装置１８のキーボード４２からのハッチ番号に基づいて後述する記憶手段４３の油種データを読出して油種一致判定手段４４に出力するものである。
【００１１】
油種一致判定手段４４は、識別片読取手段１５からの無線や有線により伝送された信号を受信する油種信号受信手段４５からの油種データと、油種選択手段４１により記憶手段４３から読出された油種データとを比較し、一致した場合には、後述するロック部材制御手段４６及び表示器４７に信号を出力し、また油種が不一致の場合には報知器４８を作動させる。ロック部材制御手段４６は、キーボード４２により指定されたハッチ５、６、７を開閉することができるハンドル２９〜３１のロック部材３２〜３４を選択して、１つだけ解除する信号を出力する。
【００１２】
記憶手段４３は、図５に示したようにハッチ番号データ５０を固定データとし、ハッチ番号に対応させて油種データ５１を書き換え可能に格納した磁気カードやＩＣカードとして構成され、キーボード４２から入力されたハッチ番号の油種データ５１を油種選択手段４１に出力するように構成されている。
【００１３】
この実施例において、注油ホース１２を吐出管１１と貯油タンク１３の注油管１４とに接続し、注油管１４に設けられている油種識別片１６を識別片読取手段１５に装填する。ついで荷降ろしすべきハッチ５の番号「１」をキーボード４２から入力すると、油種選択手段４１は、記憶手段４３に格納されている当該番号「１」の油種データ「レギュラ」を読出して油種一致判定手段４４に出力する。
【００１４】
油種一致判定手段４４は、油種信号受信手段４５により受信された油種識別片１６の油種データと油種選択手段４１からの油種データとを比較し、一致した場合にはロック制御手段４６に信号を出力して当該ハッチ５の底弁８を開閉するハンドル２９を固定しているロック機構３２を解除する。
【００１５】
なお、油種の一致が確認できない場合にはロック部材３２〜３４のいずれをも解除することなく、報知器４８により警報を発して油種の確認を促す。
【００１６】
収納ケース３５からハンドル２９を取出して当該ハッチ５の底弁駆動軸２６のハンドル装着部２３に装着して底弁８を開弁すると、注油が開始される。このとき、誤って異なるハッチ６、７の底弁９、１０のハンドル装着部２４、２５に当該ハンドル２９を装着しようとしても形状が異なるから物理的に装着が不可能で底弁９、１０を開弁することができず、誤給油が防止される。
【００１７】
注油が終了した段階で底弁８を閉弁してから駆動軸装着部２３からハンドル２９を外し、注油開始前にハンドル２９が取り出されて空状態のロック部材３２に挿入すると、ハンドル２９がロック部材３２により固定され、以後取出し不可能となる。
【００１８】
別のハッチ６、７から荷おろしをする場合には、前述と同様の手順を踏んで、油種の一致が確認されると、キーボード４２により指定したハッチ６、７の底弁９、１０の駆動軸２７、２８と係合可能なハンドル３０、３１のロック部材３３、３４の１つだけが解除されるので、キーボード４２により指定したハッチのハンドルだけが取出し可能となるので、油種混同を起こすことなく給油を行なうことができる。
【図面の簡単な説明】
【図１】本発明の一実施例を示す図である。
【図２】底弁の開閉機構の一実施例を示す図である。
【図３】ハンドル収容ケースの一実施例を示す図である。
【図４】同上制御装置の一実施例を示すブロック図である。
【図５】記憶手段の一実施例を示す図である。
【符号の説明】
２  タンク
５〜７  ハッチ
８〜１０  底弁
１１  吐出管
１２  注油ホース
１３  貯油タンク
１４  注油管
１５  識別片読取手段
１６  油種識別片
１８  荷卸制御装置
１９  防護壁
２３〜２５  ハンドル装着部
２６〜２８  駆動軸
２９〜３１  ハンドル
３２〜３４  ロック部材
３５  ハンドル収納ケース
【図１】
0003763187.tif 000002
【図２】
0003763187.tif 000003
【図３】
0003763187.tif 000004
【図４】
0003763187.tif 000005
【図５】
0003763187.tif 000006